(57)【要約】【課題】電源用プラグと機器側のジャックが小さな力で分離可能な方法を提供する。【解決手段】（イ）概略円柱状の変換プラグ（１）の内部に円筒状でプラスチック製の変換プラグ内ハウジング（１８）を設け、この外部に導電材料よりなる概略円筒状の変換プラグ外端子（１３）、内部に変換プラグジャック用内端子（５）及び変換プラグ変換ジャック用内端子（６）を一体で設け、外郭の一部に相手のハウジングを包み込む部位を具備した変換プラグハウジング（７）を設ける。（ロ）概略円柱状の変換ジャック（２）の変換ジャックハウジング（１２）の内部に導電材料よりなる円柱状の変換ジャックプラグ用内端子（９）、５ミリ以下の高さの変換ジャック変換プラグ用内端子（１０）を一体で設け、この端子のそと側に導電材料よりなる変換ジャックプラグ用外端子（８）、変換ジャック変換プラグ用外端子（１１）を一体で設ける。【選択図】図１
2010056057.tif 000002
【特許請求の範囲】
【請求項１】
（イ）概略円柱状の変換プラグ（１）の内部に円筒状でプラスチック製の変換プラグ内ハウジング（１８）を設け、この外部に導電材料よりなる概略円筒状の変換プラグ外端子（１３）、内部に変換プラグジャック用内端子（５）及び変換プラグ変換ジャック用内端子（６）を一体で設け、外郭の一部に相手のハウジングを包み込む部位を具備した変換プラグハウジング（７）を設ける。
（ロ）概略円柱状の変換ジャック（２）の変換ジャックハウジング（１２）の内部に導電材料よりなる円柱状の変換ジャックプラグ用内端子（９）、５ミリ以下の高さの変換ジャック変換プラグ用内端子（１０）を一体で設け、この端子のそと側に導電材料よりなる変換ジャックプラグ用外端子（８）、変換ジャック変換プラグ用外端子（１１）を一体で設けたことを特徴とするパワーアダプタ。
【請求項２】
変換プラグ（１）と変換ジャック（２）とが対向する面に磁石等の強磁性体を埋め込んだ請求項１のパワーアダプタ。
【請求項３】
変換プラグ（１）と変換ジャック（２）の接続部の空間内に別途、金属やゴム等の弾性材を用いた保持部材（２１）を力のバランスの良い位置に設けた請求項１若しくは請求項２のパワーアダプタ。
【請求項４】
機器側及びプラグ側の端子の形状をＬ形に変更し、変換プラグ（１）及び変換ジャック（２）のかく端子を機器側の基板に直接取り付け、おのおの電圧変換器側のプラグに変換ジャック（２）、変換プラグ（１）を直接もしくは間接的に設ける形態とした請求項１若しくは請求項２若しくは請求項３の構造のパワーアダプタ。
【発明の詳細な説明】
【技術分野】
【０００１】この発明は、可搬型の電子機器、例えばノート型ＰＣ等の外部電源用ケーブルの先端に取り付けられているプラグとこれと対となる機器側に取り付けられているジャックに関するものである。
【背景技術】
【０００２】従来、ノートＰＣ等の可搬形の機器の電源ケーブルの先端に取り付けられているプラグとノートＰＣ等の機器の内部の基板に取り付けられているジャックとは挿入抜去可能な形態で接続され、機器を使用しているときや使用していない場合も接続した状態で用いられることが多かった。
【発明の開示】
【発明が解決しようとする課題】
【０００３】そのためには次のような問題が有った。
多くの可搬型の電子機器の電源側のケーブルのプラグは本体側のジャックとは挿入抜去が可能なコネクタ等の接続形態で用いられが接続が強固な形態となっており、可搬型の機器はプラグの一部や電源ケーブルが外部にむき出しになり、床やテーブルにケーブルを放置した状態で使用したりすることが多く、ケーブルに無理な力が作用し機器本体を落下し機器本体を破損したり、ケーブルの取り付けられた状態で機器を持ち運ぶ際にケーブルのプラグ側を引っかけたり、外部のものに衝突させたりすることにより機器本体に取り付けられたジャックに衝撃を加え、ジャックが取り付けられている機器本体の基板よりはんだ付けなどによる接続部が外れ、通電が不十分となり機器から発火するという重大な問題が発生することもあった。、
【課題を解決するための手段】
【０００４】機器本体側のジャックの側に変換プラグを設け、この変換プラグは変換ジャックを介して互いに機械的、電気的に接続し、更に変換プラグは既存の電源用プラグと接続された状態で使用され、変換プラグと変換ジャックとは通常は電気接続は安定しているが色々な方向からの小さな力により容易に電気接続が分離できる構造として設けた。
【発明の効果】
【０００５】変換プラグと変換ジャックが軽い力で分離できる構造のためケーブルを引っかけたり、変換ジャックや変換プラグに衝撃を加えても機器が引っ張られ落下したり、機器側のジャックに無理な力が作用せず、機器への損傷が少なくかつ安全性が高い。【０００６】変換プラグと変換ジャックの対向する面に磁石等の強磁性体を設けることにより互いの吸引力を全面に均一に高めることができるため、内部の端子の数や位置による力の不均衡による影響を低減し、分離の時に加わる力の方向に依存することのない分離が可能となる。【０００７】本案の分離型の変換プラグと変換ジャックを用いた場合、既存の機器や既存のプラグに変更を加えることなく使用できるため簡便である。【０００８】変換プラグと変換ジャックとの電気的、機械的な接続には通常の板ばねを用いた接点を用いているため接触圧が高く設定できるため接触信頼性が高く電流容量も高くとることが可能である。【０００９】本案の変換プラグと変換ジャックを機器本体及び電源ケーブルのプラグ側に直接取り付けた場合、寸法的に小さくなりデザイン的に有利である。
【発明を実施するための最良の形態】
【０００１０】以下に本発明の実施の形態を図を用いて説明する。
（イ）概略円柱状の変換プラグ（１）の内部に円筒状でプラスチック製の変換プラグ内ハウジング（１８）を設け、この外部に導電材料よりなる概略円筒状の変換プラグ外端子（１３）、内部に変換プラグジャック用内端子（５）及び変換プラグ変換ジャック用内端子（６）を一体で設け、外郭の一部に相手のハウジングを包み込む部位を具備した変換プラグハウジング（７）を設ける。
（ロ）概略円柱状の変換ジャック（２）の変換ジャックハウジング（１２）の内部に導電材料よりなる円柱状の変換ジャックプラグ用内端子（９）、５ミリ以下の高さの変換ジャック変換プラグ用内端子（１０）を一体で設け、この端子のそと側に導電材料よりなる変換ジャックプラグ用外端子（８）、変換ジャック変換プラグ用外端子（１１）を一体で設ける。
本案を使用の際は、変換ジャック（２）を既存のプラグ（４）の先端に接続し、変換プラグ（１）を機器（１４）の内部に取り付けられた機器側ジャック（３）に接続した状態で変換ジャック（２）と変換プラグ（１）とを接続して用いるか若しくはプラグ（４）の先端に変換ジャック（２）及び変換プラグ（１）を接続した状態で機器側ジャック（３）に変換プラグ（１）を接続して用いる。プラグ（４）や電源ケーブル（１５）に予期しない力が加わった場合、変換ジャック（２）にも同時に軸とは直角方向に荷重が作用し、変換プラグ（１）との界面にて分離するように働き、変換ジャック変換プラグ用外端子（１１）と変換プラグ外端子（１３）との接続及び変換プラグ変換ジャック用内端子（６）と変換ジャック変換プラグ用内端子（１０）との接続が離れ、電気的に非導通となる。
この際、変換プラグ（１）を機器（１４）の内部に完全に含まれる状態で設けてもよい、また変換プラグ（１）、変換ジャック（２）を機器（１４）の基板に直に、はんだなどで接続する形態でも構わない。変換ジャック（２）と変換プラグ（１）の分離の時の力のバランスをよくするために端子同士の保持力以外に磁石や強磁性体を変換プラグハウジング（７）と変換ジャックハウジング（１２）に対向して設けてもよい。更に変換プラグ（１）と変換ジャック（２）の接続部の空間内に別途、バネ材やゴム等の弾性体を用いた保持部材（２０）を力のバランスの良い位置に設け、変換プラグ外端子（１３）と勘合させて用いてもよいし、変換プラグハウジング（７）と変換ジャックハウジング（１２）の相互に合わさる部位を相手を抱え込む形態としてもよいし、どちらかをエラストマ等の弾性材料で設け、分離の際に弾性材の変形にて分離の力をバランス良く設けてもよい。
【図面の簡単な説明】
【００１１】
【図１】本発明の側面より見た断面図である。
【図２】本発明の分離の時の断面図である。
【図３】本発明の他の案の側面より見た断面図である。
【図４】本発明の他の案の斜視図である。
【図５】本発明の変換プラグを機器の基板に直に取り付け、変換ジャックを電源側のプラグと一体とした場合の側面より見た断面図である。
【図６】本発明の変換ジャックを機器の基板に直に取り付け、変換プラグを電源側のプラグと一体とした場合の側面より見た部分断面図である。
【図７】本発明の組み合わせ案の側面図である。
【図８】本発明の他の組み合わせ案の側面図である。
【符号の説明】
【００１２】１．変換プラグ
２．変換ジャック
３．機器側ジャック
４．プラグ
５．変換プラグジャック用内端子
６．変換プラグ変換ジャック用内端子
７．変換プラグハウジング
８．変換ジャックプラグ用外端子
９．変換ジャックプラグ用内端子
１０．変換ジャック変換プラグ用内端子
１１．変換ジャック変換プラグ用外端子
１２．変換ジャックハウジング
１３．変換プラグ外端子
１４．機器
１５．電源ケーブル
１６．電圧変換器
１７．高電圧プラグ
１８．変換プラグ内ハウジング
１９．強磁性体
２０．保持部材
２１．機器内基板
２２．変換プラグ外端子用テール
【図１】
2010056057.tif 000003
【図２】
2010056057.tif 000004
【図３】
2010056057.tif 000005
【図４】
2010056057.tif 000006
【図５】
2010056057.tif 000007
【図６】
2010056057.tif 000008
【図７】
2010056057.tif 000009
【図８】
2010056057.tif 000010